(57)【要約】【課題】複数の表示手段に表示可能な装置におけるユーザの利便性を向上させることを目的とする。【解決手段】情報処理装置であって、第１の表示手段及びタッチパネルに対応して設けられた第２の表示手段への表示を制御し、表示対象がユーザによるタッチ入力を受け付ける入力画面である場合に、入力画面を、第２の表示手段に表示するよう制御する表示制御手段と、第２の表示手段に入力画面が表示された場合に、第２の表示手段に対応して設けられたタッチパネルの機能を有効化するタッチパネル制御手段とを有する。【選択図】図４
2017084109.tif 000002
【特許請求の範囲】
【請求項１】
第１の表示手段及びタッチパネルに対応して設けられた第２の表示手段への表示を制御し、表示対象がユーザによるタッチ入力を受け付ける入力画面である場合に、前記入力画面を、前記第２の表示手段に表示するよう制御する表示制御手段を有することを特徴とする情報処理装置。
【請求項２】
前記第２の表示手段に前記入力画面が表示された場合に、前記第２の表示手段に対応して設けられたタッチパネルの機能を有効化するタッチパネル制御手段をさらに有することを特徴とする請求項１に記載の情報処理装置。
【請求項３】
前記表示制御手段は、表示対象が前記入力画面である場合に、前記入力画面を前記第１の表示手段に表示しないよう制御することを特徴とする請求項１又は２に記載の情報処理装置。
【請求項４】
前記第２の表示手段への前記入力画面の表示中に、前記入力画面以外の非入力画面の表示指示を受け付けた場合に、前記第２の表示手段への前記入力画面の表示を終了するよう制御し、さらに前記表示指示に係る前記非入力画面を前記第１の表示手段に表示するよう制御することを特徴とする請求項１に記載の情報処理装置。
【請求項５】
前記第２の表示手段への前記入力画面の表示中に、前記非入力画面の表示指示を受け付けた場合に、前記タッチパネルの機能を無効化するタッチパネル制御手段をさらに有することを特徴とする請求項４に記載の情報処理装置。
【請求項６】
前記表示制御手段は、前記第２の表示手段への前記入力画面の表示中に、前記非入力画面の表示指示を受け付けた場合に、前記第２の表示手段に前記非入力画面を表示しないよう制御することを特徴とする請求項４又は５に記載の情報処理装置。
【請求項７】
前記表示制御手段は、出力先を前記第１の表示手段と前記第２の表示手段の間で切り替える場合に、切り替えを行う旨の案内を表示することを特徴とする請求項１乃至６何れか１項に記載の情報処理装置。
【請求項８】
撮影手段と、
前記撮影手段により得られた撮影画像を第１の表示手段に出力する出力手段と、
タッチパネルに対応して設けられ、前記撮影画像を表示する第２の表示手段と、
第１の表示手段及び第２の表示手段への表示を制御し、表示対象がユーザによるタッチ入力を受け付ける入力画面である場合に、前記入力画面を、前記第２の表示手段に表示するよう制御する表示制御手段と
を有することを特徴とする撮影装置。
【請求項９】
情報処理装置が実行する情報処理方法であって、
第１の表示手段及びタッチパネルに対応して設けられた第２の表示手段への表示を制御し、表示対象がユーザによるタッチ入力を受け付ける入力画面である場合に、前記入力画面を、前記第２の表示手段に表示するよう制御する表示制御ステップを有することを特徴とする情報処理方法。
【請求項１０】
コンピュータを、
第１の表示手段及びタッチパネルに対応して設けられた第２の表示手段への表示を制御し、表示対象がユーザによるタッチ入力を受け付ける入力画面である場合に、前記入力画面を、前記第２の表示手段に表示するよう制御する表示制御手段として機能させるためのプログラム。
【発明の詳細な説明】
【技術分野】
【０００１】
本発明は、情報処理装置、情報処理方法及びプログラムに関する。
【背景技術】
【０００２】
近年、操作性の改善を目的として、ＬＣＤにタッチパネルを配置し、ＧＵＩを表示し、タッチパネルへのユーザ操作を受け付ける、タッチパネル搭載のデジタルカメラが普及してきている。このようなデジタルカメラでは、撮影から再生及び文字入力等の操作をすべてタッチ操作で行うことができるものが多い。一方、デジタルカメラで撮影した画像等を大きく見たいとのニーズはあるが、携帯情報端末では携帯性の特性上、ＬＣＤの大型化が難しく、搭載されているＬＣＤでは画面サイズに制限があり、このニーズを満たせない場合がある。この為、テレビ等の外部出力ディスプレイに接続して、画像を出力できる機能が搭載されたカメラもある。特許文献１には、携帯情報端末をテレビと接続した場合に、携帯情報端末側のＬＣＤ上のタッチパネルがタッチパッドのようにして使用可能となる技術が開示されている。
【先行技術文献】
【特許文献】
【０００３】
【特許文献１】特開２００７−１５８９１９号公報
【発明の概要】
【発明が解決しようとする課題】
【０００４】
しかしながら、特許文献１の技術では、外部ディスプレイに表示された画面に対応する入力を、携帯情報端末側のタッチパネルで行う。このため、文字入力等の操作部材が複数表示される画面での操作では、外部ディスプレイの特定の位置を指定するのが難しいという問題がある。ＨＤＭＩ（登録商標）での接続の場合、リモコンでキー操作することは可能であるが、リモコンは汎用的なキー配置の為、操作が困難になる場合が多い。
【０００５】
本発明はこのような問題点に鑑みなされたもので、複数の表示手段に表示可能な装置におけるユーザの利便性を向上させることを目的とする。
【課題を解決するための手段】
【０００６】
そこで、本発明は、情報処理装置であって、第１の表示手段及びタッチパネルに対応して設けられた第２の表示手段への表示を制御し、表示対象がユーザによるタッチ入力を受け付ける入力画面である場合に、前記入力画面を、前記第２の表示手段に表示するよう制御する表示制御手段を有することを特徴とする。
【発明の効果】
【０００７】
本発明によれば、複数の表示手段に表示可能な装置におけるユーザの利便性を向上させることができる。
【図面の簡単な説明】
【０００８】
【図１】デジタルカメラを示す図である。
【図２】表示部及び外部ディスプレイの表示例を示す図である。
【図３】メニュー画面表示処理を示すフローチャートである。
【図４】文字入力処理を示すフローチャートである。
【発明を実施するための形態】
【０００９】
以下、本発明の実施形態について図面に基づいて説明する。
なお、以下に説明する実施形態においては、静止画と動画の撮影が可能な撮影装置としてのデジタルカメラに情報処理装置を適用した場合を例に説明する。本実施形態に係るデジタルカメラは、自装置以外の表示部である外部ディスプレイと接続し、自装置に設けられた表示部だけでなく、外部ディスプレイにも画像等を表示することができる。
【００１０】
図１（ａ）は、デジタルカメラ１００の外観図である。表示部２８は、画像や各種情報を表示する表示部である。シャッターボタン６１は、撮影指示を行うための操作部である。モード切替スイッチ６０は、各種モードを切り替えるための操作部である。外部出力Ｉ／Ｆ１１２は、接続ケーブル１１１とデジタルカメラ１００とのコネクタである。操作部７０は、ユーザからの各種操作を受け付ける各種スイッチ、ボタン、タッチパネル等の操作部材より成る操作部である。コントローラホイール７３は、操作部７０に含まれる回転操作可能な操作部材である。７２は電源スイッチであり、電源オン、電源オフを切り替える。記録媒体４０は、メモリカードやハードディスク等の記録媒体である。記録媒体スロット４１は、記録媒体４０を格納するためのスロットである。記録媒体スロット４１に格納された記録媒体４０は、デジタルカメラ１００との通信が可能となる。蓋４２は記録媒体スロット４１の蓋である。
【００１１】
図１（ｂ）は、デジタルカメラ１００のハードウェア構成例を示すブロック図である。撮影レンズ１０３は、ズームレンズ、フォーカスレンズを含むレンズ群である。シャッター１０１は、絞り機能を備えるシャッターである。撮像部２２は、光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１２】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１３】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１４】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示を行える。
【００１５】
出力先変換部９０は、画像の出力先の制御を行う。外部出力Ｉ／Ｆ１１２に外部ディスプレイ９２が接続された状態で、外部ディスプレイ９２への出力指示があるとする。この場合、システム制御部５０は、出力先変換部９０の撮影画像等の画像の表示先を外部出力Ｉ／Ｆ１１２側に設定し出力を行う（出力処理）。これによりメモリ３２に書き込まれた表示用の画像データは、Ｄ／Ａ変換器１３を介して、出力先変換部９０より外部出力Ｉ／Ｆ１１２を通して、外部ディスプレイ９２に表示される。外部出力Ｉ／Ｆ１１２に外部ディスプレイ９２が接続されていない場合、システム制御部５０は、出力先変換部９０の画像表示先を表示部２８に設定し、表示処理を行う。
【００１６】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００１７】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１３、表示部２８等を制御することにより表示制御も行う。
【００１８】
システムタイマー５３は各種制御に用いる時間や、内蔵された時計の時間を計測する計時部である。モード切替スイッチ６０、第１シャッタースイッチ６２、第２シャッタースイッチ６４、操作部７０はシステム制御部５０に各種の動作指示を入力するための操作手段である。
【００１９】
モード切替スイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切り替えスイッチ６０で、静止画撮影モードに含まれるこれらのモードのいずれかに直接切り替えられる。あるいは、モード切り替えスイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００２０】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２１】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体４０に画像データを書き込むまでの一連の撮影処理の動作を開始する。
【００２２】
操作部７０の各操作部材は、表示部２８に表示される種々の機能アイコンを選択操作すること等により、場面毎に適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２３】
コントローラホイール７３は、操作部７０に含まれる回転操作可能な操作部材であり、方向ボタンと共に選択項目を指示する際等に使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したか等を判定することができる。なお、コントローラホイール７３は回転操作が検出できる操作部材であればどのようなものでもよい。例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作等を検出するものであってもよい（いわゆる、タッチホイール）。
【００２４】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体４０を含む各部へ供給する。
【００２５】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体４０とのインターフェースである。記録媒体４０は、撮影された画像を記録するためのメモリカード等の記録媒体であり、半導体メモリや磁気ディスク等から構成される。
【００２６】
なお操作部７０の一つとして、表示部２８に対する接触を検知可能なタッチパネルを有する。タッチパネルと表示部２８とは、表示部２８がタッチパネルに対応して設けられるように、一体的に構成することができる。例えば、タッチパネルを光の透過率が表示部２８の表示を妨げないように構成し、表示部２８の表示面の上層に取り付ける。そして、タッチパネルにおける入力座標と、表示部２８上の表示座標とを対応付ける。これにより、恰もユーザが表示部２８上に表示された画面を直接的に操作可能であるかのようなＧＵＩを構成することができる。システム制御部５０はタッチパネルへの以下の操作、あるいは状態を検出できる。
・タッチパネルを指やペンで触れたこと（以下、タッチダウンと称する）。
・タッチパネルを指やペンで触れている状態であること（以下、タッチオンと称する）。
・タッチパネルを指やペンで触れたまま移動していること（以下、ムーブと称する）。
・タッチパネルへ触れていた指やペンを離したこと（以下、タッチアップと称する）。
・タッチパネルに何も触れていない状態（以下、タッチオフと称する）。
【００２７】
これらの操作・状態や、タッチパネル上に指やペンが触れている位置座標は内部バスを通じてシステム制御部５０に通知され、システム制御部５０は通知された情報に基づいてタッチパネル上にどのような操作が行なわれたかを判定する。ムーブについてはタッチパネル上で移動する指やペンの移動方向についても、位置座標の変化に基づいて、タッチパネル上の垂直成分・水平成分毎に判定できる。
【００２８】
またタッチパネル上をタッチダウンから一定のムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でムーブしたことが検出され、そのままタッチアップが検出されるとフリックが行なわれたと判定できる。また、所定距離以上を、所定速度未満でムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００２９】
図２は、外部ディスプレイ９２に接続中である場合の、外部ディスプレイ９２と、表示部２８の表示例を示す図である。図２（ａ）〜（ｄ）それぞれの左側に外部ディスプレイ９２の表示状態、右側に表示部２８の表示状態を示している。図２（ａ）は、撮影待機画面２００の表示時の各表示部の表示状態を示す図である。図２（ａ）に示すように、撮影待機時かつ外部ディスプレイ９２に接続中の状態においては、撮影待機画面２００は、表示部２８ではなく、外部ディスプレイ９２に表示され、表示部２８には何も表示されない。撮影待機画面２００には、ライブビュー画像と共に、各種情報表示アイコンが表示される。このとき、デジタルカメラ１００は、ユーザによるタッチパネルによる操作は受け付けず、タッチパネル以外の各種操作部７０の操作は受け付ける。図２（ａ）に示すライブビュー画像表示時に、ユーザにより、操作部７０であるメニューボタンが押下されると、メニュー画面２１０が表示される。
【００３０】
図２（ｂ）は、メニュー画面２１０の表示時の各表示部の表示状態を示す図である。図２（ｂ）に示すように、メニュー画面２１０も、表示部２８ではなく、外部ディスプレイ９２に表示され、表示部２８には何も表示されない。メニュー画面２１０には、個人認証設定メニューを含む複数の選択肢項目が表示される。この時も、デジタルカメラ１００は、タッチパネルによる操作は受け付けず、タッチパネル以外の各種操作部７０の操作は受け付ける。この画面で、ユーザにより、著作権情報メニュー２１１が選択されると、著作権情報画面２２０が表示される。
【００３１】
図２（ｃ）は、著作権情報画面２２０の表示時の各表示部の表示状態を示す図である。図２（ｃ）に示すように、著作権情報画面２２０も、表示部２８ではなく、外部ディスプレイ９２に表示され、表示部２８には何も表示されない。著作権情報画面２２０には、作成者名入力メニュー２２１、著作権者名入力メニュー２２２、を含む複数のメニュー項目が表示される。この時も、デジタルカメラ１００は、タッチパネルによる操作は受け付けず、タッチパネル以外の各種操作部７０の操作は受け付ける。この画面で、ユーザにより、作成者名入力メニュー２２１又は著作権者名入力メニュー２２２が選択されると、名前の入力を行うための入力画面である、ソフトキーボード画面２３０が表示される。
【００３２】
図２（ｄ）は、ソフトキーボード画面２３０の表示時の各表示部の表示状態を示す図である。図２（ｄ）に示すように、ソフトキーボード画面２３０は、表示部２８に表示され、外部ディスプレイ９２には何も表示されない。ソフトキーボード画面２３０には、各種文字キー２３１及び文字入力欄２３２等が表示される。デジタルカメラ１００は、ソフトキーボード画面２３０において、表示部２８に対応するタッチパネルによる操作を受け付け、タッチパネル以外の各種操作部７０の操作も受け付ける。以下、上記画面遷移に係る表示制御処理について、フローチャートを参照しつつ説明する。
【００３３】
図３は、デジタルカメラ１００によるメニュー画面表示処理を示すフローチャートである。メニュー画面表示処理は、システム制御部５０が不揮発性メモリ５６に記録されたプログラムをメモリ５２に展開して実行することで実現する。前述の図２（ａ）の撮影待機画面２００において、操作部７０であるメニューボタンが押下確定されると、システム制御部５０は、メニュー画面表示処理を開始する。Ｓ３０１において、システム制御部５０は、図２（ｂ）に示すように、外部ディスプレイ９２にメニュー画面２１０を表示するよう制御する。
【００３４】
次に、Ｓ３０２において、システム制御部５０は、メニュー画面２１０に表示された選択肢項目のうち、著作権情報メニュー２１１が選択確定されたか否かを判定する。システム制御部５０は、著作権情報メニュー２１１にカーソルを合わせた状態で操作部７０の決定キーを押下する操作があった場合に、著作権情報メニュー２１１が選択確定されたと判定する。以下、選択確定されたか否かの判定においては、システム制御部５０は、カーソルを合わせた状態で操作部７０の決定キーを押下する操作があった場合に、カーソルに対応する位置のメニューが選択確定されたと判定するものとする。
【００３５】
システム制御部５０は、著作権情報メニュー２１１が選択確定された場合は（Ｓ３０２でＹｅｓ）、処理をＳ３０６へ進める。システム制御部５０は、著作権情報メニュー２１１が選択確定されなかった場合には（Ｓ３０２でＮｏ）、処理をＳ３０３へ進める。Ｓ３０３において、システム制御部５０は、表示された選択肢項目のうち、ＭＥＮＵ終了処理を除くその他の選択肢項目が選択確定されたか否かを判定する。システム制御部５０は、その他の選択肢項目が選択確定された場合は（Ｓ３０３でＹｅｓ）、処理をＳ３０４へ進める。システム制御部５０は、その他の選択肢項目が選択確定されなかった場合には（Ｓ３０３でＮｏ）、処理をＳ３０５へ進める。
【００３６】
Ｓ３０４において、システム制御部５０は、選択確定された項目に応じた処理を行い、その後処理をＳ３０５へ進める。Ｓ３０５において、システム制御部５０は、操作部７０よりＭＥＮＵ処理終了であるＭＥＮＵボタンを押下選択されたか否かを判定する。システム制御部５０は、ＭＥＮＵボタンを押下選択された場合には（Ｓ３０５でＹｅｓ）、処メニュー画面表示処理を終了して撮影待機画面に戻る。システム制御部５０は、ＭＥＮＵボタンを押下選択されていない場合には（Ｓ３０５でＮｏ）、処理をＳ３０２へ進め、処理を繰り返す。
【００３７】
一方、Ｓ３０６において、システム制御部５０は、外部ディスプレイ９２に図２（ｃ）に示す著作権情報画面２２０を表示する。次に、Ｓ３０７において、システム制御部５０は、著作権情報画面２２０に表示された選択肢項目のうち、作成者名入力メニュー２２１または著作権者名入力メニュー２２２が選択確定されたか否かを判定する。すなわち、システム制御部５０は、ユーザによるタッチ入力を受け付ける入力画面であるソフトキーボードを表示させる操作があったか否かを判定する。システム制御部５０は、作成者名入力メニュー２２１又は著作権者名入力メニュー２２２が選択確定された場合は（Ｓ３０７でＹｅｓ）、処理をＳ３０８へ進める。システム制御部５０は、これらのメニューが選択されなかった場合には（Ｓ３０７でＮｏ）、処理を３０９へ進める。Ｓ３０８において、システム制御部５０は、文字入力処理を行い、その後処理をＳ３０７へ進める。文字入力処理については、図４を参照しつつ後述する。
【００３８】
また、Ｓ３０９において、システム制御部５０は、著作権情報画面２２０に表示された選択肢項目のうち、その他の選択肢項目が選択されたか否かを判定する。ここで、その他の選択肢項目とは、作成者名入力メニュー２２１、著作権者名入力メニュー２２２及び操作部７０のＭＥＮＵ押下による戻る処理以外の選択肢項目である。システム制御部５０は、その他の選択肢項目が選択された場合は（Ｓ３０９でＹｅｓ）、処理をＳ３１０へ進める。システム制御部５０は、その他の選択肢項目が選択されなかった場合には（Ｓ３０９でＮｏ）、処理をＳ３１１へ進める。
【００３９】
Ｓ３１０において、システム制御部５０は、選択確定された項目に応じた処理を行う。次に、Ｓ３１１において、システム制御部５０は、操作部７０のＭＥＮＵ押下による戻る処理が選択確定されたか否かを判定する。ＭＥＮＵ押下による戻る処理が選択確定された場合は（Ｓ３１１でＹｅｓ）、処理をＳ３０１へ進める。システム制御部５０は、戻る処理が選択確定されなかった場合には（Ｓ３１１でＮｏ）、処理をＳ３０７へ進める。
【００４０】
図４は、図３において説明した文字入力処理（Ｓ３０８）における詳細な処理を示すフローチャートである。この処理は、システム制御部５０が不揮発性メモリ５６に記録されたプログラムをメモリ５２に展開して実行することで実現する。Ｓ４０１において、システム制御部５０は、出力先変換部９０の設定を変更し、外部ディスプレイ９２への出力を停止するよう制御する。なお、Ｓ４０１の処理は、表示対象画面が入力画面である場合に、入力画面を表示部としての外部ディスプレイ９２に表示しないよう制御する表示制御処理の一例である。さらに、他の例としては、システム制御部５０は、外部ディスプレイ９２への出力を停止する前に、外部ディスプレイ９２に「ＬＣＤ側へ表示を切り替えます」等のガイダンスを数秒表示してもよい。ここで、ガイダンスは、切り替えを行う旨の案内の一例である。
【００４１】
次に、Ｓ４０２において、システム制御部５０は、出力先変換部９０の設定を変更し、表示部２８に画面出力を開始するよう制御する。なお、Ｓ４０２の処理は、表示対象画面が入力画面である場合に、入力画面を表示部２８に表示するよう制御する表示制御処理の一例である。次に、Ｓ４０３において、システム制御部５０は、表示部２８としてのＬＣＤ等の表示器の起動処理を行う。起動処理には、表示器の電源をＯＮする為の表示器の表示開始処理、バックライトのＯＮ及び輝度ＵＰ処理が含まれる。次に、Ｓ４０４において、システム制御部５０は、表示部２８に、図２（ｄ）に示すソフトキーボード画面２３０を表示する。
【００４２】
次に、Ｓ４０５において、システム制御部５０は、表示部２８に搭載されているタッチパネルの機能を有効化する（タッチパネル制御処理）。次に、Ｓ４０６において、システム制御部５０は、表示部２８に表示されたソフトキーボード画面２３０のうち、いずれかの文字キーがタッチされたか否かを判定する。システム制御部５０は、文字キーがタッチされた場合には（Ｓ４０６でＹｅｓ）、処理をＳ４０７へ進める。システム制御部５０は、文字キーがタッチされなかった場合には（Ｓ４０６でＮｏ）、処理をＳ４０８へ進める。なお、システム制御部５０は、操作部７０により何れかの文字キーが選択確定された場合も処理をＳ４０７へ進めることとする。
【００４３】
Ｓ４０７において、システム制御部５０は、タッチされた文字キーに対応する文字入力を受け付ける。システム制御部５０は、入力された文字をメモリ３２に記録し、文字入力欄２３２に表示する。続いて文字が入力されると、システム制御部５０は、次の文字を文字入力欄２３２のスペースに並べて表示する。
【００４４】
Ｓ４０８において、システム制御部５０は、表示部２８に表示された戻るボタンがタッチされたか否かを判断する。戻るボタンのタッチは、ソフトキーボードを非表示にし、入力画面以外の非入力画面を表示する旨の表示指示を入力するための操作である。システム制御部５０は、戻るボタンがタッチされた場合、すなわち非入力画面の表示指示を受け付けた場合は（Ｓ４０８でＹｅｓ）、処理をＳ４０９へ進める。システム制御部５０は、戻るボタンがタッチされなかった場合には（Ｓ４０８でＮｏ）、処理をＳ４０６へ進める。なお、システム制御部５０は、操作部７０によりＭＥＮＵボタンが押下された場合も、処理をＳ４０９へ進める。
【００４５】
Ｓ４０９において、システム制御部５０は、入力された文字（メモリ３２に記録され、文字入力欄２３２に表示された文字列）を確定し、作成者名又は著作権者名として設定し、不揮発性メモリ５６に記録する。次に、Ｓ４１０において、システム制御部５０は、表示部２８に搭載されているタッチパネルを無効化する（タッチパネル制御処理）。次に、Ｓ４１１において、システム制御部５０は、表示部２８であるＬＣＤ等の表示器の終了処理を行う。終了処理には、表示器の電源をＯＦＦする為の表示器の表示終了処理、バックライトの輝度ＯＦＦ処理が含まれる。なお、外部ディスプレイ９２への出力を停止する前に、表示部２８に「外部ディスプレイ側へ表示を切り替えます」等のガイダンス（切り替えを行う旨の案内）を数秒表示してもよい。
【００４６】
次に、Ｓ４１２において、システム制御部５０は、出力先変換部９０の設定を変更し、表示部２８側への画面出力を停止する。次に、Ｓ４１３において、システム制御部５０は、出力先変換部９０の設定を変更し、外部ディスプレイ９２側への出力を開始する。なお、Ｓ４１２の処理は、入力画面の表示中に、非入力画面の表示指示を受け付けた場合に、表示部２８への入力画面の表示を終了するよう制御する表示制御処理の一例である。また、Ｓ４１２の処理は、入力画面の表示中に非入力画面の表示指示を受け付けた場合に、表示部２８に非入力画面を表示しないよう制御する表示制御処理の一例である。また、Ｓ４１３の処理は、入力画面の表示中に、非入力画面の表示指示を受け付けた場合に、非入力画面を外部ディスプレイ９２に表示するよう制御する表示制御処理の一例である。次に、Ｓ４１４において、システム制御部５０は、非入力画面である著作権情報画面２２０（図２）を外部ディスプレイ９２に表示する。以上で、文字入力処理が終了する。
【００４７】
このように、外部ディスプレイ９２に接続されている状態で、かつ表示対象がタッチパネルを用いたタッチ入力のための入力画面であるとする。この場合、デジタルカメラ１００は、外部ディスプレイ９２ではなく、タッチパネルに対応する表示部２８を出力先とする。これにより、ユーザは、手元の表示部２８を見ながらタッチパネル操作を行うことができる。すなわち、本実施形態に係るデジタルカメラ１００は、複数の表示可能な装置におけるユーザの利便性を向上させることができる。特に、ＧＵＩアイコンが多く並ぶような画面、例えば文字入力等の複雑な操作が必要な画面が表示対象である場合に、ユーザは、画面上の特定の位置指定を容易に行うことができる。
【００４８】
実施形態の第１の変更例について説明する。上述の実施形態においては、デジタルカメラ１００は、省電力の観点から、入力画面を表示部２８に表示する場合、外部ディスプレイ９２への画面出力を停止したが、これに替えて、外部ディスプレイ９２への表示を継続してもよい。この場合、外部ディスプレイ９２及び表示部２８の両方に同一の入力画面としてのソフトキーボード画面２３０が表示される。
【００４９】
実施形態の第２の変更例について説明する。上述の実施形態においては、著作権情報画面２２０の階層下でソフトキーボード画面２３０を表示して文字入力を受け付ける例を説明したが、これに限るものではない。他の動作状態でも、ソフトキーボード画面を表示させる操作が行われたことに応じて、デジタルカメラ１００は、図４と同様の処理を行えばよい。すなわち、直前まで外部ディスプレイ９２に表示を行っていた場合でも、デジタルカメラ１００は、ソフトキーボード画面を表示部２８のみに表示するものとする。
【００５０】
また、第３の変更例としては、上述の実施形態においては、複雑な入力操作として文字を入力する例を説明したが、入力内容は文字に限るものではない。文字入力以外でも画面上の特定の位置指定が必要な画面を表示するような場合、デジタルカメラ１００は、図４と同様の処理を行う。すなわち、直前まで外部ディスプレイ９２に表示を行っていた場合でも、デジタルカメラ１００は、画面上の特定の位置指定が必要な画面を表示するような場合は表示部２８のみに表示するものとする。
【００５１】
また、第４の変更例としては、上述の実施形態においては、情報処理装置の一例として、デジタルカメラ１００を例に説明したが、この例に限定されない。すなわち、情報処理装置は、例えば、パーソナルコンピュータ、ＰＤＡ、携帯電話端末等、複雑な入力を行える操作部材と、入力結果を表示可能な表示部とを有するデジタル機器であればよい。特に、情報処理装置は、文字入力に特化した操作部材を持たないデジタル機器、小型軽量化が求められるデジタル機器であることが好ましい。これらのデジタル機器としては、携帯型の画像ビューワ、ディスプレイを備えるプリンタ装置、デジタルフォトフレーム、音楽プレーヤー、ゲーム機、電子ブックリーダー等が挙げられる。この場合、ユーザの利便性の向上の効果が顕著に得られる。
【００５２】
以上、上述した各実施形態によれば、複数の表示手段に表示可能な装置におけるユーザの利便性を向上させることができる。
【００５３】
以上、本発明の好ましい実施形態について詳述したが、本発明は係る特定の実施形態に限定されるものではなく、特許請求の範囲に記載された本発明の要旨の範囲内において、種々の変形・変更が可能である。
【００５４】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５５】
２８  表示部
５０  システム制御部
９２  外部ディスプレイ
１００  デジタルカメラ
【図１】
2017084109.tif 000003
【図２】
2017084109.tif 000004
【図３】
2017084109.tif 000005
【図４】
2017084109.tif 000006